(57)【要約】【課題】  骨組パイプにビニールシートを被せて、ビニールシートを包持して骨組パイプに装着する樹脂製の半円筒状の止め具を取り外す工具であって、取り外し作業を迅速に且つ確実に行える工具を提供する。【解決手段】  梃子支点を構成する屈曲箇所１１の一方側に係止爪部１２を形成し、他方側に適宜な長さの把柄部１３を形成してなる工具本体１に、前記屈曲箇所に係止爪部１２の係止面と平行な軸に、工具本体１を挟み且つ外周面が工具本体１の屈曲外縁より突出する一対の支点ローラー２３を設けてなる。【選択図】図１
0003217588.tif 000002
【実用新案登録請求の範囲】
【請求項１】
梃子支点を構成する屈曲箇所の一方側に係止爪部を形成し、他方側に適宜な長さの把柄部を形成してなる工具本体に、前記屈曲箇所に係止爪部の係止面と平行な軸に、工具本体を挟み且つ外周面が工具本体の屈曲外縁より突出する一対の支点ローラーを設けてなることを特徴とするビニールシート止め具用取外し工具。
【請求項２】
工具本体を金属製の板状体で形成すると共に、工具本体の先方部分を縦板とし、把柄部の適宜範囲から徐々に横板状に形成し、前記把柄部を樹脂被覆してなる請求項１記載のビニールシート止め具用取外し工具。
【請求項３】
係止爪部を、厚爪部の先方に薄爪部を設けてなる請求項１又は２記載のビニールシート止め具用取外し工具。
【請求項４】
一対の支点ローラーの回転周面を、対向面内側が短径とした直線又は湾凹傾斜面としてなる請求項１乃至３記載の何れかのビニールシート止め具用取外し工具。
【請求項５】
アルミ製の支点ローラーを採用すると共に、工具本体との間にナイロンワッシャーを介在させてなる請求項４記載のビニールシート止め具用取外し工具。
【考案の詳細な説明】
【技術分野】
【０００１】
本考案は、ビニールシート止め具用取外し工具に関するものである。
【背景技術】
【０００２】
農業用ビニールハウスは、大小何れにしてもパイプで形成した骨組みに透明ビニールシートを被せて、ビニールシートを骨組パイプに止着している。止着手段は、樹脂製の半円筒状の止め具を、ビニールシートを包み込むようにして骨組パイプに外篏合してビニールシートと骨組みパイプを一体化しているものである。
【０００３】
このビニールシートは経年変化や損傷によって張替が必要となる。その際に骨組パイプに装着されている止め具を取り外す必要があるが、止め具はビニールシートと骨組パイプとを確りと連結するために、止め具の強い弾性力でビニールシートを包持して骨組パイプに装着している。このため従前から取外し工具が使用されている。
【０００４】
取外し工具は、骨組パイプに装着している止め具に対して先端部分を係止し、骨組パイプとの当接箇所に支点を求め、操作部分（把柄部）を操作して先端部分を跳ね上げて、止め具を取り外すようにしている。特に止め具に係止する構造として、工具の先端部分を二股状として止め具の半円端面に当接して係止する工具（特許文献１）と、工具の先端部分を止め具の端面の下方に差し込んで係止する工具（特許文献２，３）が知られている。
【先行技術文献】
【特許文献】
【０００５】
【特許文献１】実開昭５８−９８１７３号公報。
【特許文献２】意匠登録９９９５３１号公報。
【特許文献３】意匠登録１４６９９４１号公報。
【考案の概要】
【考案が解決しようとする課題】
【０００６】
工具の先端部（係止部）を平爪状に形成した従前工具においては、係止部（係止爪）の止め具下方への差し込み操作が、単に工具を保持して操作となり、不安定な状態での作業となり、また把柄部の回動操作時に骨組パイプに当接している支点部がズレ、スムーズな取外し作業が行われない場合がある。
【０００７】
そこで本考案は操作性に優れたビニールシート止め具用の取外し工具を提案したものである。
【課題を解決するための手段】
【０００８】
本考案の請求項１記載に係るビニールシート止め具用取外し工具は、梃子支点を構成する屈曲箇所の一方側に係止爪部を形成し、他方側に適宜な長さの把柄部を形成してなる工具本体に、前記屈曲箇所に係止爪部の係止面と平行な軸に、工具本体を挟み且つ外周面が工具本体の屈曲外縁より突出する一対の支点ローラーを設けてなることを特徴とするものである。
【０００９】
而してビニールシートを包持して骨組パイプに装着している止め具に対して、支点ローラーを骨組パイプに載置した状態で工具本体を移動させ、係止爪部の先端を止め具の下方に差込み、把柄部を回動させて係止爪部を跳ね上げると、止め具は骨組パイプの包着が解除され、取り外される。
【００１０】
また本考案の請求項２記載に係るビニールシート止め具用取外し工具は、工具本体を金属製の板状体で形成すると共に、工具本体の先方部分を縦板とし、把柄部の適宜範囲から徐々に横板状に形成し、前記把柄部を樹脂被覆してなるもので、工具本体において強い力が加わる箇所を縦板として耐久力を高め、操作時に手で押圧する箇所を横板状とし且つ樹脂被覆することで、力を加えやすく且つ手を傷め難い工具としたものである。
【００１１】
また本考案の請求項３記載に係るビニールシート止め具用取外し工具は、係止爪部を、厚爪部の先方に薄爪部を設けてなるもので、止め具への差込み間隙が狭いときには、薄爪部で僅かにめくり上げて差込み間隙を拡げて、更に厚爪部を差込み、取外し操作を行う。また薄爪部を備えることによって差込み間隙が狭い他の物品（例えばプルタブ）にも使用できる。
【００１２】
また本考案の請求項４記載に係るビニールシート止め具用取外し工具は、一対の支点ローラーの回転周面を、対向面内側が短径とした直線又は湾凹傾斜面としてなるもので、支点ローラーは骨組パイプに跨るように載置されるので、器具を安定させて使用することができる。
【００１３】
また本考案の請求項５記載に係るビニールシート止め具用取外し工具は、アルミ製の支点ローラーを採用すると共に、工具本体との間にナイロンワッシャーを介在させてなるもので、耐久性を増すと共に把柄部回動操作の抵抗が減少スムーズな止め具取外し操作とすることができる。
【考案の効果】
【００１４】
本考案の構成は上記のとおりで、係止爪部の止め具下方への差し込み操作及び跳ね上げ操作を、工具を安定させた状態で行うことができ、操作性の優れた工具を提供できたものである。
【図面の簡単な説明】
【００１５】
【図１】本考案の実施形態の全体斜視図。
【図２】同要部分解斜視図。
【図３】同使用状態の説明図。
【考案を実施するための形態】
【００１６】
次に本考案の実施形態について説明する。実施形態に示したビニールシート止め具用取外し工具は、所定の形状の工具本体１に支点部２を付設してなるものである。
【００１７】
工具本体１は、金属製（工具鋼製）の板状で、梃子の支点位置となる屈曲箇所１１の先方に係止爪部１２を形成し、他方側（尾方側）に適宜な長さの把柄部１３を形成してなるもので、特に係止爪部１２及び前記屈曲箇所１１並びに把柄部１３の先方部分を縦板状とし、把柄部１３の尾方部を縦板状から徐々に横板状に形成し、更に把柄部１３を樹脂被覆してなるものである。
【００１８】
また係止爪部１２は、厚爪部１２ａの先方に薄爪部１２ｂを設け、把柄部１３の尾端には、平爪部１４を設けてなる。
【００１９】
支点部２は、前記屈曲箇所１１に表裏貫通する軸孔２１を穿設し、軸体２２を以て表裏配置する一対の支点ローラー２３を軸装してなるもので、軸装された支点ローラー２３の外周面２３ａが工具本体１の屈曲箇所１１の屈曲外縁より突出するような形態とする。
【００２０】
また前記の支点ローラー２３の外周面（回転周面）２３ａは、対向面内側（工具本体側）が短径とした直線傾斜又は湾凹傾斜面として、更に支点ローラー２３と工具本体１との間にナイロンワッシャー２４を介在させてなるものである。
【００２１】
而してビニールシートＡを包持して骨組パイプＢに装着している止め具Ｃに対して、支点ローラー２３を骨組パイプに載置した状態で工具本体１を移動させ、係止爪部１２の先端を止め具Ｃの下方に差込み、把柄部１３を回動させて係止爪部１２を跳ね上げて、止め具Ｃを骨組パイプＢから取り外すものである。
【００２２】
特に、前記の取外し操作において、支点ローラー２３の外周面２３ａが骨組パイプＢを跨ぐように載置されるので、工具の横ずれによって支点部２が骨組パイプＢ上からずれることなく操作できる。
【００２３】
更に止め具Ｃの下方への差込みに際して、止め具Ｃの下方間隙が狭い場合には、薄爪部１２ｂのみを差込み、僅かにめくり上げて差込み間隙を拡げて、更に厚爪部１２ａを差込んで取外し操作を行い、取り外し作業の迅速化を図ることができる。
【００２４】
尚前記の薄爪部１２ｂ及び把柄部１３の尾端の平爪部１４を設けたことによって、止め具Ｃの取外しの他にも、爪部による跳ね上げを必要とする他の作業にも使用できる。
【符号の説明】
【００２５】
１      工具本体
１１    屈曲箇所
１２    係止爪部
１２ａ    厚爪部
１２ｂ    薄爪部
１３    把柄部
１４    平爪部
２      支点部
２１    軸孔
２２    軸体
２３    支点ローラー
２３ａ    外周面
２４    ナイロンワッシャー
Ａ      ビニールシート
Ｂ      骨組みパイプ
Ｃ      止め具
【図１】
0003217588.tif 000003
【図２】
0003217588.tif 000004
【図３】
0003217588.tif 000005